(57)【要約】      （修正有）【課題】開いた本のページの厚みに応じてページを押さえ込むことができ、更に、収納時に１枚の板の厚さとしてコンパクトに収納できるブックスタンドを提供する。【解決手段】左右に分離された本体１ａ，１ｂを第１の連結部４と第２の連結部５で連結し、左右の本体１ａ，１ｂの間にスタンドプレート台２を挿入する。さらに、第１の連結部４がスタンドプレート台２を貫通し、更に、左右の本体１ａ，１ｂとスタンドプレート台２との隙間にストッパーアーム３が設けられると共に、第２の連結部５がストッパーアーム３を貫通し、左右の本体１ａ，１ｂの底部に、水平方向に円を描いて移動する押さえ部６２ａ，６２ｂを有するページストッパー６ａ，６ｂを設ける。【選択図】図１
0003183229.tif 000002
【実用新案登録請求の範囲】
【請求項１】
折畳み式のブックスタンドであって、
左右に分離された第１の本体と第２の本体と、
前記第１の本体と前記第２の本体との間に挿入され、凹部が形成されたスタンドプレート台と、
前記第１の本体、前記第２の本体と前記スタンドプレート台との隙間に設けられ、一部が前記凹部に差し込まれるストッパーアームと、
前記第１の本体と前記第２の本体とを前記スタンドプレート台を貫通して連結する第１の連結部と、
前記第１の本体と前記第２の本体とを前記ストッパーアームを貫通して連結する第２の連結部と、
前記第１の本体の底部に、水平方向に円を描いて移動する第１の押さえ部を有する第１のページストッパーと、
前記第２の本体の底部に、水平方向に円を描いて移動する第２の押さえ部を有する第２のページストッパーとを有し、
前記スタンドプレート台が前記第１の連結部を軸として回転可能であり、
前記ストッパーアームが前記第２の連結部を軸として回転可能であることを特徴とするブックスタンド。
【請求項２】
スタンドプレート台には、複数の凹部が形成され、当該凹部が形成された面とは反対側の面に滑り防止部が形成されていることを特徴とする請求項１記載のブックスタンド。
【請求項３】
スタンドプレート台には、第２の連結部を収納する凹部が形成されていることを特徴とする請求項１又は２記載のブックスタンド。
【請求項４】
ストッパーアームは、Ｕ字形状をしており、第１の連結部を収納する切り欠き部が形成されていることを特徴とする請求項１乃至３のいずれか記載のブックスタンド。
【請求項５】
第１のページストッパーと第２のページストッパーとは、一方の端部に押さえ部が形成されたコの字形状の金属部分と、当該金属部分の水平部分に設けられた滑り止め部とを有し、前記金属部分の他方の端部が第１の本体、第２の本体の底面に対して垂直方向に埋め込まれ、前記埋め込まれた金属部分を軸として回転可能であることを特徴とする請求項１乃至４のいずれか記載のブックスタンド。
【請求項６】
第１の本体と第２の本体の表面には複数の溝が形成され、前記第１の本体と前記第２の本体の裏面には前記複数の溝に直交する複数の溝が形成されていることを特徴とする請求項１乃至５のいずれか記載のブックスタンド。
【請求項７】
第１の連結部を直線の棒の中央をコの字形状に変形し、当該変形部分がスタンドプレート台の端部を貫通していることを特徴とする請求項１乃至６のいずれか記載のブックスタンド。
【考案の詳細な説明】
【技術分野】
【０００１】
本考案は、ブックスタンドに係り、特に、左右に開いた本の厚みに応じてページを押さえることができ、収納時に１枚の板の厚さに納めることができるブックスタンドに関する。
【背景技術】
【０００２】
［先行技術の説明］
従来のブックスタンド又は書見台は、本のページを押さえる押さえ部が、左右見開きのページに対してそれぞれ備えられており、ページの手前側からページ正面に向かって２つの押さえ部が同時に押さえ込む構造が多い。
【０００３】
［関連技術］
尚、ブックスタンド又は書見台について関連する先行技術としては、特開２００４−０１６４５３号公報「書見台」（特許文献１）、実用新案登録第３１６８１４７号公報「折畳み式簡便書見台」（特許文献２）、実開昭６２−１２８４４７号公報「折りたたみ式の書見台」（特許文献３）、実開平０６−０３８６７７号公報「折畳式の書見台」（特許文献４）がある。
【０００４】
特許文献１には、書見台において、複数の縦棒を間隔をおいて平行に配置し、上下２ヶ所を連結固定することで、折り畳んだとき、背もたれ部の各縦棒間の隙間に入るように配置した受け棒を下側で連結固定することが記載されている。
【０００５】
特許文献２には、折畳み式簡便書見台において、組立て時に支持板凸部を４箇所の切り欠き部の一つを選択して、その中に挿入することによって書見板の傾斜角度を４段階に調整できることが記載されている。
【０００６】
特許文献３では、譜面台において、一枚の厚紙などを折り曲げ、その傾斜に本を立てかけられるようにした三角柱Ａと、立てかけた本が滑り落ちないように、それと接したつば状の細い三角柱Ｂを作ることが記載されている。
【０００７】
特許文献４では、折畳式の書見台において、折曲展開可能をもつ板で構成され、鉄板と磁石を用い、本の背もたれ板の傾斜を変えられるようにしたことが記載されている。
【先行技術文献】
【特許文献】
【０００８】
【特許文献１】特開２００４−０１６４５３号公報
【特許文献２】実用新案登録第３１６８１４７号公報
【特許文献３】実開昭６２−１２８４４７号公報
【特許文献４】実開平０６−０３８６７７号公報
【考案の概要】
【考案が解決しようとする課題】
【０００９】
しかしながら、上記従来のブックスタンド又は書見台では、２つの押さえ部がページの手前側からページ正面に向かって同時に押さえ込む構造であるため、開いた本のページの厚みに対応して任意に押さえ込むことができないという問題点があった。
【００１０】
つまり、読書の進捗状況によって、左右の開いたページの厚みが異なることがあり、上記従来のブックスタンドの構成では、厚いページの方しか充分に押さえることができず、本を安定的に押さえることができないものとなっていた。
【００１１】
また、従来のブックスタンドでは、本体が厚みがある構成の場合、使用しないときに１枚の板のようにコンパクトに納められないものとなっていた。
【００１２】
尚、特許文献１〜４には、折畳み式の書見台が記載されているが、折り畳んだ状態で１枚の厚みとなるよう収納できる構成については記載されていない。
【００１３】
本考案は上記実状に鑑みて為されたもので、開いた本のページの厚みに応じてページを押さえ込むことができ、更に、収納時に１枚の板の厚さとしてコンパクトに収納できるブックスタンドを提供することを目的とする。
【課題を解決するための手段】
【００１４】
上記従来例の問題点を解決するための本考案は、折畳み式のブックスタンドであって、左右に分離された第１の本体と第２の本体と、第１の本体と第２の本体との間に挿入され、凹部が形成されたスタンドプレート台と、第１の本体、第２の本体とスタンドプレート台との隙間に設けられ、一部が凹部に差し込まれるストッパーアームと、第１の本体と第２の本体とをスタンドプレート台を貫通して連結する第１の連結部と、第１の本体と第２の本体とをストッパーアームを貫通して連結する第２の連結部と、第１の本体の底部に、水平方向に円を描いて移動する第１の押さえ部を有する第１のページストッパーと、第２の本体の底部に、水平方向に円を描いて移動する第２の押さえ部を有する第２のページストッパーとを有し、スタンドプレート台が第１の連結部を軸として回転可能であり、ストッパーアームが第２の連結部を軸として回転可能であることを特徴とする。
【００１５】
本考案は、上記ブックスタンドにおいて、スタンドプレート台には、複数の凹部が形成され、当該凹部が形成された面とは反対側の面に滑り防止部が形成されていることを特徴とする。
【００１６】
本考案は、上記ブックスタンドにおいて、スタンドプレート台には、第２の連結部を収納する凹部が形成されていることを特徴とする。
【００１７】
本考案は、上記ブックスタンドにおいて、ストッパーアームが、Ｕ字形状をしており、第１の連結部を収納する切り欠き部が形成されていることを特徴とする。
【００１８】
本考案は、上記ブックスタンドにおいて、第１のページストッパーと第２のページストッパーとは、一方の端部に押さえ部が形成されたコの字形状の金属部分と、当該金属部分の水平部分に設けられた滑り止め部とを有し、金属部分の他方の端部が第１の本体、第２の本体の底面に対して垂直方向に埋め込まれ、埋め込まれた金属部分を軸として回転可能であることを特徴とする。
【００１９】
本考案は、上記ブックスタンドにおいて、第１の本体と第２の本体の表面には複数の溝が形成され、第１の本体と第２の本体の裏面には上記複数の溝に直交する複数の溝が形成されていることを特徴とする。
【００２０】
本考案は、上記ブックスタンドにおいて、第１の連結部を直線の棒の中央をコの字形状に変形し、当該変形部分がスタンドプレート台の端部を貫通していることを特徴とする。
【考案の効果】
【００２１】
本考案によれば、第１の本体と第２の本体が、左右に分離され、スタンドプレート台が、第１の本体と第２の本体との間に挿入されて凹部が形成され、ストッパーアームが、第１の本体、第２の本体とスタンドプレート台との隙間に設けられて、一部が凹部に差し込まれ、第１の連結部が、第１の本体と第２の本体とをスタンドプレート台を貫通して連結し、第２の連結部が、第１の本体と第２の本体とをストッパーアームを貫通して連結し、第１のページストッパーが、第１の本体の底部に、水平方向に円を描いて移動する第１の押さえ部を有し、第２のページストッパーが、第２の本体の底部に、水平方向に円を描いて移動する第２の押さえ部を有し、スタンドプレート台が第１の連結部を軸として回転可能であり、ストッパーアームが第２の連結部を軸として回転可能である折畳み式のブックスタンドとしているので、開いた本のページの厚みに応じてページを押さえ込むことができ、更に、収納時に１枚の板の厚さとしてコンパクトに収納できる効果がある。
【図面の簡単な説明】
【００２２】
【図１】本ブックスタンドの正面説明図である。
【図２】（ａ）がスタンドプレート台の平面図であり、（ｂ）がスタンドプレート台の側面図である。
【図３】ストッパーアームの側面図である。
【図４】本ブックスタンドの使用側面図である。
【図５】別の実施形態を示す説明図である。
【考案を実施するための形態】
【００２３】
本考案の実施の形態について図面を参照しながら説明する。
［実施の形態の概要］
本考案の実施の形態に係るブックスタンドは、左右に分離された本体を第１の連結部と第２の連結部で連結し、左右の本体の間にスタンドプレート台が挿入されると共に、第１の連結部がスタンドプレート台を貫通し、更に、左右の本体とスタンドプレート台との間にストッパーアームが設けられると共に、第２の連結部がストッパーアームを貫通し、左右の本体の底部に水平方向に円を描いて移動する押さえ部を有するページストッパーを設けた構造であり、収納時には１枚の板の厚さで収納でき、開いた本のページの厚みに応じてページを押さえ込むことができる。
【００２４】
［本ブックスタンド：図１］
本考案の実施の形態に係るブックスタンド（本ブックスタンド）について図１を参照しながら説明する。図１は、本ブックスタンドの正面説明図である。
本ブックスタンドは、図１に示すように、左側の本体１ａと、右側の本体１ｂと、スタンドプレート台２と、ストッパーアーム３と、第１の連結棒４と、第２の連結棒５と、ページストッパー６ａ，６ｂとから構成されている。
尚、本体１ａ，１ｂとスタンドプレート台２は、木製であり、ストッパーアーム３と、第１の連結棒４と、第２の連結棒５は、金属製である。特に、木材としては、ゴムの木の廃材を利用している。
【００２５】
［本ブックスタンドの各部］
［本体１ａ，１ｂ］
本体１ａ，１ｂは、図１の正面（表面）では、本体の厚みに対して半分以上の深さで横方向（水平方向）に溝が複数本形成されている。表面の溝は、本体１ａ，１ｂが向き合う端部から外側の端部に向けて形成されているが、外側の端部に到達するまで形成していない。これは、本体１ａ，１ｂの強度を保つためである。
【００２６】
また、本体１ａ，１ｂの裏面は、本体の厚みに対して半分以上の深さで縦方向（垂直方向）に溝が複数本形成されている。裏面の溝は、本体１ａ，１ｂの上側の端部から下側の端部に向けて形成されているが、下側の端部に到達するまで形成していない。これも、本体１ａ，１ｂの強度を保つためである。
【００２７】
従って、表面に形成された溝と裏面に形成された溝が交差する部分は、表面又は裏面から本体の厚みに対して半分以上の深さで削られているため、貫通していることになる。図１の斜線部分で示した部分１０ａ，１０ｂが貫通孔（貫通部分）を示している。
【００２８】
このように、表面に横方向の複数の溝と裏面に縦方向の複数の溝、更にその交差部分が貫通している構造は、格子状デザインとなっており、本ブックスタンドの軽量化と反り防止に効果がある。
尚、表面に縦方向の溝を形成し、裏面に横方向の溝を形成してもよい。つまり、表面と裏面で直交する溝であれば構わない。
【００２９】
［スタンドプレート台２：図２］
スタンドプレート台２は、本体１ａと本体１ｂの間に設けられるもので、本体１ａ，１ｂの厚みと同程度、若しくは少し薄い厚みとなっている。
スタンドプレート台２について図２を参照しながら説明する。図２は、（ａ）がスタンドプレート台の平面図であり、（ｂ）がスタンドプレート台の側面図である。
【００３０】
図２（ａ）（ｂ）に示すように、スタンドプレート台２の右側部分には複数に凹部２１ａ，２１ｂ，２１ｃ，２１ｄ，２１ｄ，２１ｅが形成されており、左側の端部を第１の連結棒４が貫通し、凹部２１ｄに第２の連結棒５が納まるようになっている。
【００３１】
つまり、スタンドプレート台２は、第１の連結棒４を軸として回転可能で、本体１ａ，１ｂから引き出されるようになっている。
そして、複数の凹部２１ａ，２１ｂ，２１ｃ，２１ｄ，２１ｄ，２１ｅのいずれかに、ストッパーアーム３の一辺が挿入して固定され、本ブックスタンドの本体１ａ，１ｂの傾斜角が決定される。本体１ａ，１ｂの角度は、６段階に調整可能である。
【００３２】
また、スタンドプレート台２には、右側端部の裏面に滑り止め防止のラバー部（滑り止め部）２２が貼り付けられている。
スタンドプレート台２は、右側の先端部の幅が広く形成されている。これは、幅が広い先端部が、本体１ａ，１ｂの内側の側面に軽く接触することになり、本体１ａ，１ｂの間にスタンドプレート台２が納まった場合に、簡単に外れないようになり、一枚板の状態を保持できるものである。
【００３３】
［ストッパーアーム３：図３］
次に、ストッパーアーム３について図１、図３を参照しながら説明する。図３は、ストッパーアームの側面図である。
ストッパーアーム３は、図３に示すように、特定の幅を有し、図１に示すように、Ｕ字の形状をしている。図３においては、右側が開放端となっている。
【００３４】
そして、ストッパーアーム３の右側の端部に形成された貫通孔３ｂに第２の連結棒５が貫通し、ストッパーアーム３の左側の端部に形成された半円状の切り欠き部３ａに第１の連結棒４が納まるようになっている。
【００３５】
つまり、ストッパーアーム３は、第２の連結棒５を軸に回転するものであり、スタンドプレート台２が本体１ａ，１ｂの間に納まって、ストッパーアーム３の切り欠き部３ａに第１の連結棒４が納まる状態で、一枚板として収納される。
【００３６】
また、スタンドプレート台２が本体１ａ，１ｂの間から引き出されて、ストッパーアーム３を回転させて、切り欠き部３ａが形成された端部をスタンドプレート台２の凹部２１ａ〜２１ｅのいずれかに差し込むことで、ブックスタンドとして機能するようになっている。
【００３７】
［第１の連結棒４］
第１の連結棒（連結部）４は、図１に示すように、本体１ａ，１ｂの底部近傍で、本体１ａと本体１ｂとをスタンドプレート台２を貫通して連結する。そして、第１の連結棒４を軸としてスタンドプレート台２は回転可能である。
【００３８】
［第２の連結棒５］
第２の連結棒（連結部）５は、図１に示すように、本体１ａ，１ｂの中央上部で、本体１ａと本体１ｂとをストッパーアーム３を貫通して連結する。そして、第２の連結棒５を軸としてストッパーアーム３は回転可能である。図１の状態では、スタンドプレート台２より第２の連結棒５が前面に配置されて、スタンドプレート台２の凹部２１ｄに納まっている。
【００３９】
［ページストッパー６ａ，６ｂ］
ページストッパー６ａ，６ｂは、図１に示すように、本体１ａ，１ｂの底面の外側端部に取り付けられ、ほぼＵ字形状の金属部分６１ａ，６１ｂと、金属部分６１ａ，６１ｂの先端に取り付けられる木製の押さえ部６２ａ，６２ｂと、金属部分６１ａ，６１ｂの水平部分を覆うように取り付けられた塩化ビニール製のパイプ形状の滑り止め部６３ａ，６３ｂとから構成されている。
【００４０】
そして、金属部分６１ａ，６１ｂの押さえ部６２ａ，６２ｂが形成されていない端部が本体１ａ，１ｂの底面に対して垂直方向に埋め込まれて、埋め込まれた金属部分６１ａ，６１ｂを軸として回転可能となっている。
尚、埋め込まれた金属部分６１ａ，６１ｂの先端は、簡単に抜けないように、真っ直ぐではなく、若干傾斜を持たせ変形させている。
【００４１】
つまり、ページストッパー６ａ，６ｂの押さえ部６２ａ，６２ｂは、埋め込まれた金属部分６１ａ，６１ｂを軸として本体１ａ，１ｂの水平方向で円を描くように移動する。
これにより、ページストッパー６ａ，６ｂは、それぞれ独立して動作するもので、開いた本のページの厚みに応じて任意に押さえ込むことができる。
【００４２】
［ブックスタンドの使用側面図：図４］
本ブックスタンドの使用例について図１、図４を参照しながら説明する。図４は、本ブックスタンドの使用側面図である。
図１の状態からスタンドプレート台２を本体１ａ，１ｂから奥方向に押し出して倒し、ストッパーアーム３を図１の手前側に引き上げ、更に本体１ａ，１ｂの上部まで持ち上げて回転させ、裏面にストッパーアーム３の端部（切り欠き部３ａが形成された端部）を持ってくる。
【００４３】
その後、第１の連結棒４を中心に回転して引き出されたスタンドプレート台２の凹部２１ａ〜２１ｅのいずれかに、第２の連結棒５を中心に回転したストッパーアーム３の端部を差し込むようにすると、本体１ａ，１ｂが特定の傾斜を持って固定されることになる。
本ブックスタンドに書籍をセットし、ページストッパー６ａ，６ｂで各々左右のページを押さえるようにする。
【００４４】
また、本ブックスタンドを収納する場合には、使用例で説明した手順とは逆の手順で一枚板の状態に戻すものである。その場合、ページストッパー６ａ，６ｂの押さえ部６２ａ，６２ｂを本体１ａ，１ｂの側面に配置するようにすれば、よりコンパクトにすることができる。
【００４５】
［応用例：図５］
次に、応用例として別の実施の形態について図５を参照しながら説明する。図５は、別の実施形態を示す説明図である。尚、図５では、ブックスタンドの一部を示している。
図５の例では、第１の連結棒を直線の棒ではなく、直線の棒の中心部をコの字形状として変形させたものである。
【００４６】
この変形の第１の連結棒４´を用いることで、スタンドプレート台２の端部を本体１ａ，１ｂより後方に下げることができる。この形状にすることで、本の背の部分が後方に下がったスタンドプレート台２の端部に納まることになり、見開きの書籍が非常に安定して設置できる。
【００４７】
以上、本ブックスタンド及び応用例について書籍を設置する場合を説明したが、設置する対象として、タブレット端末、タブレットＰＣ、スマートフォン、その他の情報端末であってもよい。
【００４８】
［実施の形態の効果］
本ブックスタンドによれば、左右に分離された本体１ａ，１ｂを第１の連結部４と第２の連結部５で連結し、左右の本体１ａ，１ｂの間にスタンドプレート台２が挿入されると共に、第１の連結部４がスタンドプレート台２を貫通し、更に、左右の本体１ａ，１ｂとスタンドプレート台２との隙間にストッパーアーム３が設けられると共に、第２の連結部５がストッパーアーム３を貫通し、左右の本体１ａ，１ｂの底部に、水平方向に円を描いて移動する押さえ部６２ａ，６２ｂを有するページストッパー６ａ，６ｂを設けた構造としているので、収納時には１枚の板の厚さで収納でき、開いた本のページの厚みに応じてページを押さえ込むことができる効果がある。
【００４９】
また、本ブックスタンドは、本体１ａ，１ｂの表面には横方向の溝が、裏面には縦方向の溝が複数形成され、表面の溝と裏面の溝が交差する部分を貫通させているので、本ブックスタンドを軽量化でき、更に反りを防止できる効果がある。
【００５０】
また、応用例のブックスタンドによれば、第１の連結棒４´の中心部分をコの字形状と変形させ、その変形部分がスタンドプレート台２を貫通させるようにしているので、スタンドプレート台２の端部を本体１ａ，１ｂより後方に下げることができ、本の背の部分を安定して設置できる効果がある。
【産業上の利用可能性】
【００５１】
本考案は、開いた本のページの厚みに応じてページを押さえ込むことができ、更に、収納時に１枚の板の厚さとしてコンパクトに収納できるブックスタンドに適している。
【符号の説明】
【００５２】
１ａ...左側本体、  １ｂ...右側本体、  ２...スタンドプレート台、  ３...ストッパーアーム、  ３ａ...切り欠き部、  ３ｂ...貫通孔、  ４...第１の連結棒、  ５...第２の連結棒、  ６ａ，６ｂ...ページストッパー、  ２１ａ，２１ｂ，２１ｃ，２１ｄ，２１ｄ，２１ｅ...凹部、  ２２...滑り止め部、  ６１ａ，６１ｂ...金属部分、  ６２ａ，６２ｂ...押さえ部、  ６３ａ，６３ｂ...滑り止め部
【図１】
0003183229.tif 000003
【図２】
0003183229.tif 000004
【図３】
0003183229.tif 000005
【図４】
0003183229.tif 000006
【図５】
0003183229.tif 000007